(57)【要約】【課題】基材とフィルムとが積層された積層体からフィルムを安定して確実に剥離することができる剥離装置及び剥離方法を提供する。【解決手段】基材と前記基材の端部から少なくとも一部が突出して積層されたフィルムからなる積層体を搬送し且つ保持する複数のローラ対を有する保持手段と、前記保持手段を前記積層体を保持した状態で前記ローラ対の回転軸と平行な回転軸まわりに回転させて前記積層体の搬送方向を変更する回転手段と、前記保持手段の前記積層体の第１搬送方向における下流側に配置され、前記フィルムを挟んで搬送する搬送手段と、を備え、前記搬送手段が前記積層体の突出して積層された前記フィルムの突出部分を挟んだ状態で前記保持手段が前記第１搬送方向と異なる第２搬送方向に向かうまで回転して、前記積層体を搬送しつつ前記搬送手段で前記突出部分を挟んだフィルムを搬送して剥離する。【選択図】図３
2015000790.tif 000002
【特許請求の範囲】
【請求項１】
基材と前記基材の端部から少なくとも一部が突出して積層されたフィルムからなる積層体を搬送し且つ保持する複数のローラ対を有する保持手段と、
前記保持手段を前記積層体を保持した状態で前記ローラ対の回転軸と平行な回転軸まわりに回転させて前記積層体の搬送方向を変更する回転手段と、
前記保持手段の前記積層体の第１搬送方向における下流側に配置され、前記フィルムを挟んで搬送する搬送手段と、を備え、
前記搬送手段が前記積層体の突出して積層された前記フィルムの突出部分を挟んだ状態で前記保持手段が前記第１搬送方向と異なる第２搬送方向に向かうまで回転して、前記積層体を搬送しつつ前記搬送手段で前記突出部分を挟んだフィルムを搬送して剥離する、
ことを特徴とする剥離装置。
【請求項２】
前記複数のローラ対が、回転駆動される搬送ローラと前記搬送ローラに従動して回転する従動ローラが前記積層体を挟んで交互に配置され、前記第１の搬送手段側の前記ローラ対の前記従動ローラが前記第１の搬送手段により搬送される前記フィルムに接して配置されている、
ことを特徴とする請求項１に記載の剥離装置。
【請求項３】
前記第１の搬送手段が、回転駆動される搬送ローラと前記搬送ローラに従動して回転する従動ローラからなるロール対で、前記搬送ローラが前記ロール対の回転軸方向において前記フィルムの幅方向の一端側に配置されている、
ことを特徴とする請求項１又は２に記載の剥離装置。
【請求項４】
基材と前記基材の端部から少なくとも一部が突出して積層されたフィルムからなる積層体を保持しながら搬送する第１の工程と、
前記積層体を保持しながら回転して、前記積層体の突出して積層されたフィルムの突出部分を搬送して挟む第２の工程と、
前記前記積層体を保持しながら前記第２の工程と逆方向に回転して、前記積層体を搬送しつつ前記突出部分を挟んだフィルムを搬送して剥離する第３の工程と、を含む、
ことを特徴とする剥離方法。
【請求項５】
前記フィルムが剥離された前記積層体を保持しながら前記第１の工程と逆方向に搬送する第４の工程と、
前記積層体を保持しながら前記第２の工程と逆方向に回転して、前記積層体の突出して積層されたフィルムの突出部分を搬送して挟む第５の工程と、
前記積層体を保持しながらさらに回転して、前記積層体を搬送しつつ前記突出部分を挟んだフィルムを搬送して剥離する第６の工程と、を更に含む、
ことを特徴とする請求項４に記載の剥離方法。
【発明の詳細な説明】
【技術分野】
【０００１】
本発明は、剥離装置及び剥離方法に関する。
【背景技術】
【０００２】
両面又は片面に保護フィルムが被覆されたフィルムが搬送されてくる搬送路の両側に対向配設する一対のターレット板と、そのターレット板の周縁で軸支する複数の剥離ロールと、ターレット板を回転させる駆動手段と、剥離ロールを回転させる駆動手段とを備え、剥離ロールを、保護フィルムに面接してから回転するように構成するとともに、ターレット板の回転によって、保護フィルムが剥離されたフィルムから引き離すように構成した保護フィルムの剥離装置が知られている（特許文献１）。
【先行技術文献】
【特許文献】
【０００３】
【特許文献１】特開２００１−２４０３０５号公報
【発明の概要】
【発明が解決しようとする課題】
【０００４】
本発明は、基材とフィルムとが積層された積層体からフィルムを安定して剥離することができる剥離装置及び剥離方法を提供することを目的とする。
【課題を解決するための手段】
【０００５】
前記課題を解決するために、請求項１記載の剥離装置は、
基材と前記基材の端部から少なくとも一部が突出して積層されたフィルムからなる積層体を搬送し且つ保持する複数のローラ対を有する保持手段と、
前記保持手段を前記積層体を保持した状態で前記ローラ対の回転軸と平行な回転軸まわりに回転させて前記積層体の搬送方向を変更する回転手段と、
前記保持手段の前記積層体の第１搬送方向における下流側に配置され、前記フィルムを挟んで搬送する搬送手段と、を備え、
前記搬送手段が前記積層体の突出して積層された前記フィルムの突出部分を挟んだ状態で前記保持手段が前記第１搬送方向と異なる第２搬送方向に向かうまで回転して、前記積層体を搬送しつつ前記搬送手段で前記突出部分を挟んだフィルムを搬送して剥離する、
ことを特徴とする。
【０００６】
請求項２記載の発明は、請求項１記載の剥離装置において、
前記複数のローラ対が、回転駆動される搬送ローラと前記搬送ローラに従動して回転する従動ローラが前記積層体を挟んで交互に配置され、前記第１の搬送手段側の前記ローラ対の前記従動ローラが前記第１の搬送手段により搬送される前記フィルムに接して配置されている、
ことを特徴とする。
【０００７】
請求項３記載の発明は、請求項１ないし２に記載の剥離装置において、
前記第１の搬送手段が、回転駆動される搬送ローラと前記搬送ローラに従動して回転する従動ローラからなるロール対で、前記搬送ローラが前記ロール対の回転軸方向において前記フィルムの幅方向の一端側に配置されている、
ことを特徴とする。
【０００８】
前記課題を解決するために、請求項４記載の剥離方法は、
基材と前記基材の端部から少なくとも一部が突出して積層されたフィルムからなる積層体を保持しながら搬送する第１の工程と、
前記積層体を保持しながら回転して、前記積層体の突出して積層されたフィルムの突出部分を搬送して挟む第２の工程と、
前記前記積層体を保持しながら前記第２の工程と逆方向に回転して、前記積層体を搬送しつつ前記突出部分を挟んだフィルムを搬送して剥離する第３の工程と、を含む、
ことを特徴とする。
【０００９】
請求項５記載の発明は、請求項４記載の剥離方法において、
前記フィルムが剥離された前記積層体を保持しながら前記第１の工程と逆方向に搬送する第４の工程と、
前記積層体を保持しながら前記第２の工程と逆方向に回転して、前記積層体の突出して積層されたフィルムの突出部分を搬送して挟む第５の工程と、
前記積層体を保持しながらさらに回転して、前記積層体を搬送しつつ前記突出部分を挟んだフィルムを搬送して剥離する第６の工程と、を更に含む、
ことを特徴とする。
【発明の効果】
【００１０】
請求項１、４、５に記載の発明によれば、基材とフィルムとが積層された積層体からフィルムを安定して剥離することができる。
請求項２に記載の発明によれば、本構成を有しない場合に比して、積層体から剥離されるフィルムの摩擦力を低減することができる。
請求項３に記載の発明によれば、本構成を有しない場合に比して、積層体から剥離されるフィルムの剥離力を低減することができる。
【図面の簡単な説明】
【００１１】
【図１】剥離装置４０が適用される積層体の作成装置の概略構成の一例を示す断面模式図である。
【図２】画像転写装置３０の構成を示す縦断面図である。
【図３】剥離装置４０の機能構成を示す縦断面模式図である。
【図４】剥離装置４０の具体的な構成例を示す平面図である。
【図５】剥離装置４０のフィルム剥離動作の流れを説明するための模式図である。
【図６】剥離装置４０のフィルム剥離動作のタイミングチャートである。
【図７】（ａ）は画像転写装置３０によりラミネートされる積層体の構成断面図、（ｂ）は丁合いトレイ２５において位置決めされる積層体の断面模式図である。
【発明を実施するための形態】
【００１２】
次に図面を参照しながら、以下に実施形態及び実施例を挙げ、本発明を更に詳細に説明するが、本発明はこれらの実施形態及び実施例に限定されるものではない。
また、以下の図面を使用した説明において、図面は模式的なものであり、各寸法の比率等は現実のものとは異なることに留意すべきであり、理解の容易のために説明に必要な部材以外の図示は適宜省略されている。
【００１３】
（１）積層体の作成装置の全体構成及び動作
図１は本実施形態に係る剥離装置４０が適用される積層体（プラスチックシート）の作製装置１００の概略構成の一例を示す断面模式図である。
積層体の作製装置１００は、画像形成装置（フィルム収納部、画像形成部）１０、丁合い装置２０と、画像転写装置（ラミネート部）３０と、剥離装置４０と、から構成されている。
【００１４】
（１．１）画像形成装置
画像形成装置１０は、例えば、フィルムトレイ１１と、画像形成部１２と、フィルムトレイ１１から画像形成部１２へ転写フィルムを搬送する搬送路１３と、画像形成部１２から排出口１４へ画像形成後の転写フィルムを搬送する搬送路１５とから構成されている。その他の構成は省略する。
【００１５】
画像形成部１２は、図示しないが、公知の電子写真方式のカラー画像形成装置で構成されている。すなわち、媒体に黒（Ｋ）、シアン（Ｃ）、マゼンタ（Ｍ）、イエロー（Ｙ）色のトナー像を形成するそれぞれの画像形成ユニットと、画像形成ユニットが備える感光体ドラム表面を露光して静電潜像を形成する露光装置、感光体ドラム表面に形成された静電潜像を各色トナーにより現像する現像装置、感光体ドラム表面に形成されたトナー像を媒体に転写する転写装置、媒体に転写されたトナー像を加熱・加圧して定着する定着装置などを含んで構成されている。
【００１６】
搬送路１３、１５は、駆動ローラ対を含む複数のローラ対やガイド（図示せず）から構成されており、さらに搬送路１５には、転写フィルムの搬送方向を１８０°反転させる反転路１６が設けられている。搬送路１５と反転路１６との分岐付近には、転写フィルムの案内方向を変更するゲート１７が設けられている。この反転路１６で転写フィルムを往復させ、再び搬送路１５に戻すと、転写フィルムの搬送方向が１８０°反転されると共に、転写フィルムの表裏が反転して搬送される。
【００１７】
（１．２）丁合い装置
丁合い装置２０は、カードトレイ２２と、丁合いトレイ（位置決め部）２５、カードトレイ２２から丁合いトレイ２５へカード基材１を供給する搬送路２４と、画像形成装置１０の排出口１４から排出された転写フィルムを、丁合いトレイ２５へ供給する搬送路２１と、から構成されている。
【００１８】
カード基材１を丁合いトレイ２５へ供給する搬送路２４の排出部と、転写フィルムを丁合いトレイ２５へ供給する搬送路２１の排出部は、高さ方向に並列して設けられている。
搬送路２１としては、例えば、平滑な板状部材と、その表面を転写フィルムを搬送させるための搬送ローラが設けられた構成であってもよく、また回転するベルト状の搬送体で構成されていてもよい。そして転写フィルムが画像形成装置１０から排出されるタイミングで搬送ローラやベルトが回転し、転写フィルムを丁合いトレイ２５に搬送する。
【００１９】
カードトレイ２２には、通常の給紙装置に備えられているようなピックアップローラや給紙ローラが備えられており、丁合いトレイ２５がカードトレイ２２の排出口の位置に移動した直後のタイミングで給紙ローラ等が回転し、丁合いトレイ２５にカード基材１を搬送する。
【００２０】
丁合いトレイ２５は、搬送路２４の排出部と搬送路２１の排出部からカード基材１及び転写フィルムがそれぞれ供給されるように、それぞれの排出部の間で昇降する。また、積層されたカード基材１及びそれぞれの転写フィルムである表面用フィルム３、裏面用フィルム５の端部を位置決めする手段（不図示）が設けられている。
【００２１】
（１．３）積層体
図７（ａ）は画像転写装置３０によりラミネートされる積層体の構成断面図、図７（ｂ）は丁合いトレイ２５において位置決めされる積層体の断面模式図である。
図７（ａ）に示すように、積層体は、カード基材１と画像２、４が形成された転写フィルムとして表面用フィルム３及び裏面用フィルム５とが、画像２、４が形成された側の面がカード基材１と各々と対向するように重ねられ、後述する画像転写装置３０でラミネートされてなる。
【００２２】
カード基材１には、ＩＣチップが内蔵され、ＩＣチップは、無線通信が可能なＩＣタグにより構成されている。したがって、ＩＣチップを介して、非接触で情報の送受信が可能に構成されている。なお、本実施形態のＩＣチップには、カード基材１の構成材料等の
種類やカード基材１の大きさ等の媒体の情報が予め記憶されている。
【００２３】
カード基材１は、積層体としたときの転写フィルムに形成された画像が見えやすいよう不透明であることが好ましく、白色に着色されていることがより好ましい。
そのために、材料としてはアセテートフィルム、三酢酸セルローズフィルム、ナイロンフィルム、ポリエステルフィルム、ポリカーボネートフィルム、ポリスチレンフィルム、ポリフェニレンサルファイドフィルム、ポリプロピレンフィルム、ポリイミドフィルム、セロハンなどが挙げられる。中でもポリエステルフィルムが好ましく、特に、二軸延伸ポリエチレンテレフタレート（ＰＥＴ）フィルムが好ましく用いられている。
【００２４】
また、カード基材１は、カード基材１としての要求に必要な強度を有する程度に厚みを有する形状であって、厚さ５０〜５０００μｍの範囲、より好ましくは厚さ１００〜１０００μｍの範囲のＰＥＴフィルムが用いられる。
【００２５】
表面用フィルム３、裏面用フィルム５は、膜状の基材層３ａ、５ａを有する。基材層３ａ、５ａの表面には、受像層３ｂ、５ｂが支持されている。なお、基材層３ａ、５ａは、例えば、厚さが５０〜５００μｍの範囲、より好ましくは７５〜１５０μｍの範囲のＰＥＴフィルムにより構成可能である。
基材層３ａ、５ａは、透明性を有することが必要であり、少なくとも形成された画像２、４が、画像２、４が形成された面と反対側の面から基材層３ａ、５ａを通して目視できる程度に透明であればよい。
【００２６】
本実施形態においては、図７（ｂ）に示すように、搬送方向に対する長さは表面用フィルム３、裏面用フィルム５の方がカード基材１よりも長く、すなわち、表面用フィルム３、裏面用フィルム５がカード基材１の先端から突出した突出部３ｃ、５ｃを形成するようにして位置決めされる。
そして、それぞれの突出部３ｃ、５ｃは、後述する剥離装置４０においてフィルム剥離ローラ４３０に挟まれて搬送されカード基材１から剥離される際の剥離代となる。
【００２７】
（１．４）画像転写装置
図２は画像転写装置３０の構成の一例を示す縦断面図である。画像転写装置３０は、一対のベルト３１、３１が、一対のテンションローラ３２、３２と、一対のインレットローラ３３、３３とによりそれぞれ張架された状態で、テンションバネ３４によりベルト３１、３１が歪みを生じないように構成されている。
そして、一対のベルト３１、３１内部には、テンションローラ３２、３２とインレットローラ３３、３３との間に一対の加熱加圧ローラ３５、３５及び冷却ローラ３６、３６がそれぞれベルト３１、３１を介して圧接して配置されている。一対のテンションローラ３２、３２及び一対のインレットローラ３３、３３はそれぞれニップさせず、一対のベルト３１、３１間に間隙が設けられるように設置され、連続稼動によりベルト３１が蛇行しても稼動させながらベルトを所定の位置に戻すことができる。
【００２８】
積層体は、一対のインレットローラ３３、３３の後方に配置された加熱加圧ローラ３５、３５により加熱・加圧され熱融着される。そして、積層体の温度を加熱加圧ローラ３５、３５通過後にＴＧ（ガラス転移温度）以上からＴＧ以下へと冷却させるため、加熱加圧ローラ３５、３５と冷却ローラ３６、３６との間に冷却ファン３７を設置している。このため、積層体は平面性を維持したまま冷却ローラ３６、３６を通過しながらガラス転位温度以下へ冷却されテンションローラ３２、３２から排出される。
【００２９】
（１．５）剥離装置
図３は本実施形態に係る剥離装置４０の機能構成を示す縦断面模式図、図４は剥離装置４０の具体的な構成例を示す平面図である。以下、図面を参照しながら剥離装置４０の構成について説明する。
【００３０】
剥離装置４０は、画像転写装置３０からガラス転位温度以下に冷却されて排出される積層体から表面用フィルム３及び裏面用フィルム５を剥離して両面に画像が記録定着された記録体としてのカードを排出する。
剥離装置４０は、搬入ローラ４１０と、回転保持部４２０と、フィルム剥離ローラ４３０と、カード排出ローラ４４０と、から構成されている。
【００３１】
搬入ローラ４１０は、モータＭ１により伝動ベルトＤ１を介して回転駆動される駆動ローラ部４１０ａと、駆動ローラ部４１０ａに当接された従動ローラ４１０ｂからなり、画像転写装置３０からガラス転位温度以下に冷却されて排出される積層体を回転保持部４２０へ搬入する。
【００３２】
回転保持部４２０は、第１の保持ローラ対４２１及び第２の保持ローラ対４２２を有し、搬入ローラ４１０から搬入される積層体を搬送すると共に挟んで保持する。
第１の保持ローラ対４２１及び第２の保持ローラ対４２２は、両側に設けられたサイドプレート４２３、４２４に支持されている。そして、モータＭ２により回転駆動されるギアＧ１及びギアＧ１と噛合するギアＧ２からなる駆動部Ｄ２により回転駆動され、正回転又は逆回転しながら積層体を挟んで搬送すると共に停止して保持する。
【００３３】
本実施形態においては、第１の保持ローラ対４２１は下側が回転駆動される駆動ローラ部４２１ａ、上側が駆動ローラ部４２１ａに当接された従動ローラ４２１ｂとされ、第２の保持ローラ対４２２は上側が回転駆動される駆動ローラ部４２２ａ、下側が駆動ローラ部４２２ａに当接された従動ローラ４２２ｂとされている。すなわち、回転駆動される駆動ローラ部４２１ａ、４２２ａと従動して回転する従動ローラ４２１ｂ、４２２ｂが積層体を挟んで交互に配置されている。
【００３４】
第１の保持ローラ対４２１に対して、従動ローラ４２１ｂの回転軸に揺動可能に支持された案内ガイド板４２５が設けられ、搬入ローラ４１０から搬入される積層体を第１の保持ローラ対４２１のニップ部へ案内する。
【００３５】
回転保持部４２０は、サイドプレート４２３、４２４がそれぞれの回転軸４２３ａ、４２４ａを介して、剥離装置４０の本体フレームＦＲ、ＦＬに回転可能に支持され、回転軸４２３ａはギアＧ３を介してモータＭ３により回転駆動される。
又、サイドプレート４２３の一部には貫通孔（不図示）が設けられ、光センサＳを介して回転位置検出が行われる。
【００３６】
フィルム剥離ローラ４３０は、モータＭ４により伝動ベルトＤ３を介して回転駆動される駆動ローラ部４３０ａと、駆動ローラ部４３０ａに当接された従動ローラ４３０ｂからなり、第２の保持ローラ対４２２から送り出された積層体の表面用フィルム３、裏面用フィルム５のカード基材１の先端から突出した突出部３ｃ、５ｃを挟んだ後、搬送してカード基材１から転写フィルムを剥離する。
【００３７】
駆動ローラ部４３０ａは、フィルム剥離ローラ４３０の軸方向において、いずれかの一方側に形成され、第２の保持ローラ対４２２から送り出された積層体の表面用フィルム３、裏面用フィルム５の幅方向における一方側を挟んで搬送する。
【００３８】
カード排出ローラ４４０は、モータＭ１により伝動ベルトＤ１を介して回転駆動される駆動ローラ部４４０ａと、駆動ローラ部４４０ａに当接された従動ローラ４４０ｂからなり積層体を搬送すると共に挟んで保持する。
また、カード排出ローラ４４０は、表面用フィルム３及び裏面用フィルム５が剥離されたカード基材１を搬送して外部へ排出する。
【００３９】
（２）剥離装置の動作
図５は剥離装置４０のフィルム剥離動作の流れを説明するための模式図、図６はフィルム剥離動作のタイミングチャートである。
以下、本実施形態に係る剥離装置４０において積層体から表面用フィルム３、裏面用フィルム５が剥離されて画像が転写されたカード基材１が排出される剥離動作について図面を参照しながら説明する。
【００４０】
回転保持部４２０が、積層体を受け入れる初期位置（ホームポジション）にある旨が光センサＳを介して検知されると、搬入ローラ４１０、第１の保持ローラ対４２１及び第２の保持ローラ対４２２が回転駆動され（図６（ａ））、積層体は、搬入ローラ４１０から剥離装置４０の回転保持部４２０へ搬入される（図５（ａ）：矢印Ａ）。
そして、第１の保持ローラ対４２１及び第２の保持ローラ対４２２で挟まれて搬送され、積層体の搬送方向中央位置で停止して保持される（図５（ａ）、図６（ａ））。
【００４１】
次に、回転保持部４２０が、モータＭ３により時計回り（ＣＷ）に３０度回転駆動されて（図５（ｂ）：矢印Ｂ、図６（ｂ））停止された後、第１の保持ローラ対４２１、第２の保持ローラ対４２２及びフィルム剥離ローラ４３０を回転駆動させて（図６（ｃ））搬送し（図５（ｂ）：矢印Ｃ）、裏面用フィルム５の突出部５ｃがフィルム剥離ローラ４３０にニップした状態で搬送を停止する（図５（ｂ）。
【００４２】
その後、回転保持部４２０は、モータＭ３により反時計回り（ＣＣＷ）に３０度回転駆動されて（図５（ｃ）：矢印Ｄ、図６（ｄ））元の位置に戻される（図５（ｃ））。
そして、第１の保持ローラ対４２１、第２の保持ローラ対４２２及びカード排出ローラ４４０を回転駆動させて（図６（ｃ））表面用フィルム３及びカード基材１を搬送する（図５（ｃ）：矢印Ｅ）と同時に、裏面用フィルム５の突出部５ｃを挟んだフィルム剥離ローラ４３０を回転駆動させて（図６（ｆ））裏面用フィルム５を搬送する（図５（ｃ）：矢印Ｆ）。
【００４３】
そして、裏面用フィルム５の後端が積層体から剥離されるまで、第１の保持ローラ対４２１、第２の保持ローラ対４２２、カード排出ローラ４４０及びフィルム剥離ローラ４３０を回転させ裏面用フィルム５の剥離が完了する（図５（ｅ）：矢印Ｈ）。
フィルム剥離ローラ４３０はそのまま回転駆動されて剥離された裏面用フィルム５はフィルム回収部（不図示）へ搬送される。
【００４４】
裏面用フィルム５が剥離された後、第１の保持ローラ対４２１、第２の保持ローラ対４２２及びカード排出ローラ４４０を逆回転駆動させて（図６（ｇ））表面用フィルム３及びカード基材１を回転保持部４２０の中央部へスイッチバックして搬送する（図５（ｅ）：矢印Ｇ）。
【００４５】
そして、回転保持部４２０は、モータＭ３により反時計回り（ＣＣＷ）に１５０度回転駆動されて（図５（ｆ）：矢印Ｉ、図６（ｉ））停止された後、第１の保持ローラ対４２１、第２の保持ローラ対４２２及びフィルム剥離ローラ４３０を回転駆動させて（図６（ｊ））搬送し（図５（ｆ）：矢印Ｊ）、表面用フィルム３の突出部３ｃがフィルム剥離ローラ４３０にニップした状態で搬送を停止する（図５（ｆ））。
【００４６】
その後、回転保持部４２０は、モータＭ３により反時計回り（ＣＣＷ）に３０度回転駆動されて（図５（ｇ）：矢印Ｋ、図６（ｋ））元の位置に戻される（図５（ｇ））。
そして、第１の保持ローラ対４２１、第２の保持ローラ対４２２及びカード排出ローラ４４０を回転駆動させて（図６（ｌ））表面用フィルム３及びカード基材１を搬送する（図５（ｇ）：矢印Ｌ）と同時に、表面用フィルム３の突出部３ｃを挟んだフィルム剥離ローラ４３０を回転駆動させて（図６（ｍ））表面用フィルム３を搬送する（図５（ｇ）：矢印Ｍ）。
【００４７】
そして、表面用フィルム３の後端が積層体から剥離されるまで、第１の保持ローラ対４２１、第２の保持ローラ対４２２、カード排出ローラ４４０及びフィルム剥離ローラ４３０を回転させ裏面用フィルム５の剥離が完了する（図５（ｈ）：矢印Ｍ）。
フィルム剥離ローラ４３０はそのまま回転駆動されて剥離された裏面用フィルム５はフィルム回収部（不図示）へ搬送される。
【００４８】
表面用フィルム３、裏面用フィルム５が剥離されて画像が転写されたカード基材１はカード排出ローラ４４０からカードストックトレイＴｒ（図１参照）へ排出される（図５（ｈ）：矢印Ｌ）。
【００４９】
以上の動作により、カードの作製が終了し、２枚目以降の積層体からも同様に表面用フィルム３、裏面用フィルム５が剥離されてカードが作成される。
【００５０】
（３）剥離装置の作用・効果
本実施形態に係る剥離装置４０は、画像転写装置３０から排出される積層体を回転保持部４２０により搬送しながら保持して、フィルム剥離ローラ４３０のニップ部まで積層体全体を回転させるとともに搬送して、裏面用フィルム５の突出部５ｃを挟んでフィルム剥離ローラ４３０で搬送することにより、カード基材１から裏面用フィルム５を安定して剥離することができる。
さらに、裏面用フィルム５が剥離された積層体を、回転保持部４２０により搬送しながら保持して、フィルム剥離ローラ４３０のニップ部まで積層体全体を表裏反転する状態に回転させるとともに搬送して、表面用フィルム３の突出部３ｃを挟んでフィルム剥離ローラ４３０で搬送することにより、カード基材１から表面用フィルム３を安定して剥離することができる。
【００５１】
このように、回転保持部４２０の搬送・保持・回転動作とフィルム剥離ローラ４３０及びカード排出ローラ４４０の搬送動作により、積層体からフィルムを連続的に安定して確実に剥離することができる。
【００５２】
さらに、回転保持部４２０の回転駆動される駆動ローラ部４２１ａ、４２２ａと従動して回転する従動ローラ４２１ｂ、４２２ｂが積層体を挟んで交互に配置されている。その結果、フィルム剥離ローラ４３０で搬送される表面用フィルム３、裏面用フィルム５は必ず従動ローラ４２１ｂ又は４２２ｂと接触して搬送され、積層体からの表面用フィルム３、裏面用フィルム５の引き出し時の摩擦力が低減されて安定して剥離される。
【００５３】
フィルム剥離ローラ４３０の駆動ローラ部４３０ａは、フィルム剥離ローラ４３０の軸方向において、いずれかの一方側に形成され、第２の保持ローラ対４２２から送り出された積層体の表面用フィルム３、裏面用フィルム５の幅方向における一方側を挟んで搬送する。そのために、積層体から剥離される表面用フィルム３、裏面用フィルム５の剥離力が低減されて安定して剥離される。
【符号の説明】
【００５４】
１・・・カード基材
２、４・・・画像
３、５・・・転写フィルム
３ａ、５ａ・・・基材層
３ｂ、５ｂ・・・受像層
３ｃ、５ｃ・・・突出部
１０・・・画像形成装置
１１・・・フィルムトレイ
１２・・・画像形成部
１３、１５・・・搬送路
１４・・・排出口
１６・・・反転路
１７・・・ゲート
２０・・・丁合い装置
２１、２４・・・カードトレイ
２２・・・カードトレイ
２３・・・案内部材
２５・・・丁合いトレイ
２６・・・仮止め装置
３０・・・画像転写装置
３１・・・ベルト
３２・・・テンションローラ
３３・・・インレットローラ
３４・・・テンションバネ
３５・・・加熱加圧ローラ
３６・・・冷却ローラ
４０・・・剥離装置
４１０・・・搬入ローラ
４２０・・・回転保持部
４２１・・・第１の保持ローラ対
４２２・・・第２の保持ローラ対
４２１ａ、４２２ａ・・・駆動ローラ
４２１ｂ、４２２ｂ・・・従動ローラ
４２３、４２４・・・サイドプレート
４２３ａ、４２４ａ・・・回転軸（サイドプレート）
４３０・・・フィルム剥離ローラ
４３０ａ・・・駆動ローラ部
４３０ｂ・・・従動ローラ部
４４０・・・カード排出ローラ
Ｍ１、Ｍ２、Ｍ３、Ｍ４・・・モータ
Ｄ１、Ｄ３・・・伝動ベルト
Ｄ２・・・駆動部（回転保持部）
Ｓ・・・光センサ（回転位置検出）
【図１】
2015000790.tif 000003
【図２】
2015000790.tif 000004
【図３】
2015000790.tif 000005
【図４】
2015000790.tif 000006
【図５】
2015000790.tif 000007
【図６】
2015000790.tif 000008
【図７】
2015000790.tif 000009